(57)【要約】【目的】通気性がよく足蒸れを軽減する靴底のプッシュプル方式のエア流れ構造を提供すること。【構成】靴内の踵部底部に配設される二つの併置されたエアポンプ本体が構成されている。前記エアポンプ本体と前記エア管との各々の繋ぎ口には各々の逆止弁が設置され、靴内の踵部が加重・抜重されることによって、前記エアポンプ本体の容積が変化する。新鮮な空気が、靴底の踵部の外部から、全長の７５％付近の踏付側の略中央部に送出され、且つ靴内の踏付付近の蒸れた空気は、全長の６０％付近の踏付側の略中央部から、靴底の踵部の外部に排出されるプッシュプル方式のエア流れ構造の通気靴である。【選択図】        図１
2004290653.tif 000002
【特許請求の範囲】
【請求項１】
靴底の熱圧縮成型ＥＶＡスポンジ等のミッドソール踵部の略中央部に配設される二つの併置されたエアポンプ本体と、前記エアポンプ本体から靴内の踏付側の略中央部に向けて靴底部に配設される第二エア排出管及び第二エア吸入管と、前記エアポンプ本体から靴底の踵部の外側に向けて配設される第一エア吸入管及び第一エア排出管と、が構成されている靴底において、前記エアポンプ本体と前記エア管との各々の繋ぎ口には各々の逆止弁が設置され、靴内の踵部が加重・抜重されることによって、前記エアポンプ本体の容積が変化し、新鮮な空気が、踵吸気孔を通じて靴底の踵部の外部から通気防水エアフィルター、第一エア吸入管と吸気用逆止弁を通過し第一エアポンプ本体に吸入され、排気用逆止弁と第二エア排出管によって、靴内の長手方向の踵端から全長の７５％付近の踏付側の略中央部に送出され、且つ靴内の踏付付近の蒸れた空気は、靴内の長手方向の踵端から全長の６０％付近の踏付側の略中央部から第二エア吸入管と吸気用逆止弁を通じて第二エアポンプ本体に吸入され、排気用逆止弁と第一エア排出管を通過し踵排気孔を通じて靴底の踵部の外部に排出され、且つ踵吸気孔と第一エア吸入管との継ぎ目及び踵排気孔と第一エア排出管との継ぎ目から空気が漏れないように、四角形状等の透明合成樹脂シートが熱圧縮成型ＥＶＡスポンジ等のミッドソールに密着シールされていることを特徴とするプッシュプル方式のエア流れ構造通気靴。
【請求項２】
靴底において、爪先側外面及び内不踏側外面に複数の通気孔を配すると共に、爪先側の通気孔と内不踏側の通気孔とを複数の縦溝で連通し、且つ前記複数の縦溝を靴内の踏付側で相互に横溝で連通して、歩行等の移動によって、前記爪先側外面から通気防水エアフィルターを通じて靴外の新鮮な空気が取り込まれ靴内の踏付側を通過して、前記内不踏側外面から靴内の踏付の蒸れた空気が靴外に排出することを特徴とするプッシュプル方式のエア流れ構造通気靴。
【請求項３】
靴底において、爪先側外面及び内不踏側外面に複数の通気孔を配すると共に、爪先側の通気孔と内不踏側の通気孔とを複数の縦溝で連通し、且つ前記複数の縦溝を靴内の踏付側で相互に横溝で連通して、歩行等の移動によって、前記爪先側外面から靴外の新鮮な空気が取り込まれ靴内の踏付側を通過して、前記内不踏側外面から靴内の踏付の蒸れた空気が靴外に排出することを特徴とする請求項１記載のプッシュプル方式のエア流れ構造通気靴。
【発明の詳細な説明】
【０００１】
【産業上の利用分野】
本発明は、通気性がよく足蒸れを軽減する靴底のプッシュプル方式のエア流れ構造に関する。
【０００２】
【従来の技術】
従来、靴底の踵部底面に一つの空気吸排ポンプを設け、前記空気吸排ポンプには、吸気管、排気管を付設し、靴内部の臭気を空気吸排ポンプ内へ導入し、且つ蓄積した臭気を外部へ導出排気する靴底構造が提示されている。（例えば、特許文献１参照。）
中敷には換気装置が備えてある。換気装置は荷重の変動によって送気と引気を行う空気ポンプと、靴内部の空気の吸気と、吸気した空気の靴外部への排気とを交互に行う吸排装置とを備えている。空気ポンプは足裏の踵部に対応する位置に設けられており、吸排装置は足の土不踏部に対応する位置に設けられている。吸排装置の前方部には吸気口が足指基部に対応する位置まで延びている吸気管を有し、後方部には空気ポンプと吸排装置とを繋ぐ連絡管と、排気口が靴外部まで延びている排気管とを有する靴底構造が提示されている。（例えば、特許文献２参照。）
エアの出入りが一つのポンプ本体のみで、踏付側の靴内の蒸れた空気を吸引し、踵側の靴外に一方向に排出する構造である。
【０００３】
（特許文献１）  実登３０４５８１９公報（明細書、要約）
（特許文献２）  特開平１０−１４６０９公報（明細書、要約）
【０００４】
【発明が解決しようとする課題】
しかしながら、上記靴底では、上記エアタンクから靴内の蒸れた空気を踏付部から空気を吸入し、靴外に出す方法では、靴内の空気が動くだけなので次第に空気の湿度が高くなり足蒸れ軽減効果は少ない。靴内の湿度が高い空気を積極的に外に排出できるが、外気の新鮮な空気を取り入れることはできないので足蒸れ軽減効果はあまり期待できない。
【０００５】
本発明は、以上の課題に鑑みてなされたものであり、確実に靴内部の通気性を確保できる靴底の構造を提供することを目的とする。局部排気設備機器の効率的な考えであるプッシュプル方式のエアの流れを作り出し、新鮮な空気が吸入され、且つ靴内の湿気を瞬時に排出する。新鮮な空気と蒸れた空気が一緒になることなく別々の部屋で管理移動されるので蒸れ解消効果が高い。
【０００６】
【課題を解決するための手段】
上記課題を解決するために、本発明の靴底の構造は、靴底の熱圧縮成型ＥＶＡスポンジ等のミッドソール踵部の略中央部に配設される二つの併置されたエアポンプ本体と、前記エアポンプ本体から靴内の踏付側の略中央部に向けて靴底部に配設される第二エア排出管及び第二エア吸入管と、前記エアポンプ本体から靴底の踵部の外側に向けて配設される第一エア吸入管及び第一エア排出管と、が構成されている靴底において、前記エアポンプ本体と前記エア管との各々の繋ぎ口には各々の逆止弁が設置され、靴内の踵部が加重・抜重されることによって、前記エアポンプ本体の容積が変化し、新鮮な空気が、踵吸気孔を通じて靴底の踵部の外部から通気防水エアフィルター、第一エア吸入管と吸気用逆止弁を通過し第一エアポンプ本体に吸入され、排気用逆止弁と第二エア排出管によって、靴内の長手方向の踵端から全長の７５％付近の踏付側の略中央部に送出され、且つ靴内の踏付付近の蒸れた空気は、靴内の長手方向の踵端から全長の６０％付近の踏付側の略中央部から第二エア吸入管と吸気用逆止弁を通じて第二エアポンプ本体に吸入され、排気用逆止弁と第一エア排出管を通過し踵排気孔を通じて靴底の踵部の外部に排出され、且つ踵吸気孔と第一エア吸入管との継ぎ目及び踵排気孔と第一エア排出管との継ぎ目から空気が漏れないように、四角形状等の透明合成樹脂シートが熱圧縮成型ＥＶＡスポンジ等のミッドソールに密着シールされているプッシュプル方式のエア流れ構造を特徴とする。
【０００７】
本発明の靴底の構造は、靴底において、爪先側外面及び内不踏側外面に複数の通気孔を配すると共に、爪先側の通気孔と内不踏側の通気孔とを複数の縦溝で連通し、且つ前記複数の縦溝を靴内の踏付側で相互に横溝で連通して、歩行等の移動によって、前記爪先側外面から通気防水エアフィルターを通じて靴外の新鮮な空気が取り込まれ靴内の踏付側を通過して、前記内不踏側外面から靴内の踏付の蒸れた空気が靴外に排出されるプッシュプル方式のエア流れ構造を特徴とする。
【０００８】
本発明の靴底の構造は、靴底において、前記に記載された二つのプッシュプル方式のエア流れ構造を同時に構成されたことを特徴とする。
【０００９】
靴内に吸気と排気が同時にできる構造により、湿度が低い外気を取り込み、若干の時間差の後に湿度が高い靴内の空気を排出することができるので、プッシュプル方式のエアの流れを作り出し、長時間履用しても靴内の湿度は低い状態を維持できる。またさらに、爪先側外面及び内不踏側外面に複数の通気孔を配すると、歩行等の移動によって、靴の爪先からも湿度が低い外気を取り込み、靴内の踏付側を通過して、靴の内不踏側外面から靴内の踏付の蒸れた空気が靴外に排出することでさらに足蒸れ軽減効果を促進することができる。
【００１０】
【実施の形態】
以下に本発明の実施例について図面に基づいて説明する。
図１は、本実施例の靴底の平面図であり、図２は、本実施例の靴底の踵排気孔付近の断面図である。図３は、本実施例の靴底の踵吸気孔付近を部分的に拡大した断面図である。
本発明の靴底を利用した靴を履いた人が歩行する場合、まず停止しているときは、靴の踵部は加重されいる。踵部が加重されると、靴内の踵部底部の略中央部に配設される二つの併置されたエアポンプ本体１，２が押し潰される。エアポンプ本体１，２の容積は急激に減少する。このとき、エアポンプ本体１，２の内圧は正圧となる為、吸気用逆止弁１２は閉弁し排気用逆止弁１３は開弁する。従って、エアポンプ本体１，２に蓄積された容積分の空気が外部へ排出されることになる。この結果、第一エアポンプ本体１内の空気は、排気用逆止弁１３と第二エア排出管１０によって、靴内の長手方向の踵端から全長の７５％付近の踏付側の略中央部に一方向へ送出される。一方、第二エアポンプ本体２内の空気は、排気用逆止弁１３と第一エア排出管９を通じて靴底の踵部の外部に一方向へ排出される。
【００１１】
次いで、その足が振り上げられると、踵部は抜重されると共に踵部が地面から離間する。踵部が抜重されると、エアポンプ本体１，２の復元力により迅速に従前の形状に戻り、二つの併置されたエアポンプ本体１，２が押し潰された形状から元の形状へ回復される。エアポンプ本体１，２の内圧は負圧となる為、吸気用逆止弁１２は開弁し排気用逆止弁１３は閉弁する。従って、エアポンプ本体１，２には、増加した容積分の空気が外部から吸入され蓄積されることになる。この結果、第一エアポンプ本体１内に、新鮮な空気が、靴底の踵部の外部から通気防水エアフィルター７、第一エア吸入管８と吸気用逆止弁１２を通じて一方向へ吸入される。一方、第二エアポンプ本体２内に、靴内の踏付付近の蒸れた空気が、靴内の長手方向の踵端から全長の６０％付近踏付側の略中央部から第二エア吸入管１１と吸気用逆止弁１２を通じて一方向へ吸入される。
【００１２】
次に踵部が加重されると、エアポンプ本体１，２が押し潰され、第一エアポンプ本体１内の新鮮な空気が、排気用逆止弁１３と第二エア排出管１０によって、靴内の長手方向の踵端から全長の７５％付近踏付側の略中央部に一方向へ送出される。第二エアポンプ本体２の靴内踏付付近の蒸れた空気が、排気用逆止弁１３と第一エア排出管９を通じて靴底の踵部の外部に一方向へ排出される。
【００１３】
熱圧縮成型ＥＶＡスポンジ等のミッドソールの踵部において、踵吸気孔と第一エア吸入管との継ぎ目及び踵排気孔と第一エア排出管との継ぎ目からは、空気漏れが発生しないように、四角形状等の透明合成樹脂シートが、熱圧縮成型ＥＶＡスポンジ等のミッドソールの該継ぎ目上面に、水性系・溶剤系接着剤又はホットメルト接着フィルムで密着シールされている。透明合成樹脂シートの形状は、四角形状に限定される訳でなく、該継ぎ目を被覆する大きさなら円形、三角、台形等の形状でも良い。合成樹脂シートは、透明であると該継ぎ目を被覆する状態が判明するので好適であるが、透明でなくても良い。
【００１４】
【実施例】
靴内の踵部底部の略中央部に配設される二つの併置されたエアポンプ本体１，２が配設されている。二つの併置されたエアポンプ本体１，２の全周囲には、歩行中に該エアポンプ本体１，２が稼動し擦れる音を低減する為に、厚み２ｍｍ幅３ｍｍ程度細枠のＥＶＡスポンジ枠が嵌め込まれている。前記エアポンプ本体１，２から靴内の踏付側の略中央部に向けて靴底部に配設される第二エア排出管１０及び第二エア吸入管１１と、前記エアポンプ本体１，２から靴底の踵部の外側に向けて配設される第一エア吸入管８及び第一エア排出管９と、が構成されている。前記エアポンプ本体１，２と前記エア管８，９，１０，１１との各々の繋ぎ口には各々の逆止弁１２，１３が設置されている。前記エア管８，９，１０，１１の直径は、約３．５〜４．０ｍｍである。エア管の材質は、ポリアミド樹脂である柔軟性ナイロン、ＴＰＵ樹脂、ポリ塩化ビニル等の復元性を有し柔軟性に富む樹脂であれば良い。
【００１５】
踵部の踵吸気孔４と踵排気孔５は、靴底接地面から２０ｍｍの高さに併設されており、踵部の踵吸気孔４と踵排気孔５踵吸気孔４のみに、靴内に水が浸水しない為に、横幅９ｍｍ、縦幅５．５ｍｍの楕円形で、コの字型形状の厚み０．１〜０．２ｍｍの有孔金属板１４を嵌め込んだ厚み１．５〜２．５ｍｍの通気防水エアフィルター７を配設されている。踵排気孔５は、楕円形でコの字型形状の有孔金属板１４を配設されている。踵部の踵吸気孔４と踵排気孔５の有孔金属板１４を止める為に、二つの孔を併設したＴＰＵ等の樹脂で成型された覆い板１５を嵌め込んでいる。覆い板１５は、二つの孔を８ｍｍ間隔で併設した、横幅３５ｍｍ、縦幅１２ｍｍの楕円形である。踵部の踵吸気孔４と踵排気孔５は、靴底接地面から１０〜３０ｍｍの高さに併設されており、好ましくは、靴底接地面から１５〜２５ｍｍの高さに併設されている。
【００１６】
ＴＰＵ等の樹脂で成型され、２つの部屋に分離するように仕切り壁３にて仕切られた第一エアポンプ本体１及び第二エアポンプ本体２が配設されている。ポンプ本体は、２つの部屋に分離するように仕切り壁３にて仕切られた上壁部及び下壁部から成り、中央が膨出し中空状の形状に形成され、材質としては復元性を有し柔軟性に富む樹脂、例えばポリアミド樹脂である柔軟性ナイロン、ＴＰＵ、ポリ塩化ビニル等が用いられる。ポンプ本体の中央周縁部は、周縁部と接着剤により接合されている。
【００１７】
靴内の踵部が加重・抜重されることによって、前記エアポンプ本体１，２の容積が変化する。新鮮な空気が、靴底の踵部の外部から、踵吸気孔４に配設された有孔金属板１４、通気防水エアフィルター７、第一エア吸入管８と吸気用逆止弁１２を通じて第一エアポンプ本体１に吸入され、排気用逆止弁１３と第二エア排出管１０によって、靴内の長手方向の踵端から全長の７５％付近の踏付側の略中央部に送出される。且つ靴内の踏付付近の蒸れた空気は、靴内の長手方向の踵端から全長の６０％付近の踏付側の略中央部から第二エア吸入管１１と吸気用逆止弁１２を通じて第二エアポンプ本体２に吸入され、排気用逆止弁１３と第一エア排出管９と踵排気孔５に配設された有孔金属板１４を通じて靴底の踵部の外部に排出される。
【００１８】
踵吸気孔と第一エア吸入管との継ぎ目及び踵排気孔と第一エア排出管との継ぎ目のミッドソール上面に、角を丸くした厚み０．３ｍｍ、一辺長さ３０ｍｍの四角形状のポリ塩化ビニル製透明合成樹脂シートが、溶剤ウレタン糊で密着シールされている。該継ぎ目からの空気漏れが発生せずに効率的に通気性の空気循環が行われている。透明合成樹脂シートの材質は、ポリアミド樹脂である柔軟性ナイロン、ＴＰＵ樹脂、ポリ塩化ビニル等である。
【００１９】
外部と接触する吸気の通気孔部分の表面には泥やほこりを入りにくくするように網目付きの通気鳩目や有孔金属板１４等を設置し、その内側には通気性が良く、防水性のあるポリプロピレンやポリエチレンやＥＶＡ等で焼結成型した通気防水エアフィルター７（商品名：フィルタレン・化研（株）厚み２．０ｍｍ）を挿入し、第一エアポンプ本体１と通気防水エアフィルター７とがＴＰＵ等の樹脂製のホースである第一エア吸入管８で連結されている。通気防水エアフィルター７は、透湿防水性を有するフィルムでも良い。
【００２０】
さらに、爪先部に通気孔を設け、外部と接触する通気孔部分の表面には泥やほこりを入りにくくするように網目付きの通気鳩目や有孔金属板１４等を設置し、その内側には通気性が良く、防水性のあるポリプロピレンやポリエチレンやＥＶＡ等で焼結成型した通気防水エアフィルター７（商品名：フィルタレン・化研（株））を挿入し、ミッドソールに成型された通気溝と連結して外気を踏付部に導入する構造にしている。
【００２１】
フィルタ部材を設けると、外部から侵入しようとする小石、土、砂、埃等を遮断することが出来る。そして、このようなフィルタ部材としては、例えば網、織物等のメッシュ、多数の透孔を有する有孔板、格子、平行棒等である。
【００２２】
逆止弁は、直径約５ｍｍであり、逆止弁の弁体としては、移動式の球体の弁体であり、一般的な金属球であるが、薄膜プラスチックによる中空球体を用いても良いし、合成樹脂からなる球体でも良い。逆止弁が球体の弁体ではなく舌状の弁体を有する場合であっても良い。
【００２３】
中底材は、通気性・屈曲性を考慮して前半部はメッシュ素材で、後半部は一般の靴中底材として使用されるプレスボードとした。勿論踵部にあるエアポンプ本体１，２の部分は、プレスボードをくり貫き状態とした。
【００２４】
中敷は、通気用として、厚み３〜４ｍｍで、碁盤目状に多くの孔を貫通させたＥＶＡスポンジを使用した。中敷の該ＥＶＡスポンジの上面である足当り面に、織り又は編みメッシュ布素材を使用した。中敷の該ＥＶＡスポンジ踵裏面は、合成樹脂製のエアポンプ本体と接触して、該エアポンプ本体を稼動させる為に足踵部からの力を加える場所であり、歩行中の合成樹脂との滑り防止且つ防音防止の為に、厚み１〜２ｍｍの不織布又は織り布が設定されている。
【００２５】
尚、本発明は上記実施例に何ら限定されることなく本発明の要旨を逸脱しない範囲において種々の態様で実施できることはいうまでもない。
例えば、空気排出孔及び空気吸入孔を設ける位置は本実施例の位置に限られるものではなく、靴の内部及び靴の外部に通じる位置であれば特に限定されない。
【００２６】
【発明の効果】
局部排気設備機器の効率的な考えであるプッシュプル方式のエアの流れを作り出し靴内の湿気を瞬時に排出する機能を採用したことにより、最低限度の空気量でも、確実に靴内部の通気性を確保することができ、足蒸れを効果的に軽減できる。
【図面の簡単な説明】
【図１】本実施例の靴底の平面図である。
【図２】本実施例の靴底の踵排気孔付近の断面図である。
【図３】本実施例の靴底の踵吸気孔付近を部分的に拡大した断面図である。
【符号の説明】
１．第一エアポンプ本体
２．第二エアポンプ本体
３．仕切り壁
４．踵吸気孔
５．踵排気孔
６．通気孔
７．通気防水エアフィルター
８．第一エア吸入管
９．第一エア排出管
１０．第二エア排出管
１１．第二エア吸入管
１２．吸気用逆止弁
１３．排気用逆止弁
１４．有孔金属板
１５．覆い板
１６．エア吹き出し口
１７．エア吸引口
１８．透明合成樹脂シート
【図１】
2004290653.tif 000003
【図２】
2004290653.tif 000004
【図３】
2004290653.tif 000005